(57)【要約】【課題】動画撮影中に静止画を撮影する場合に、動画撮影に影響を及ぼすことなく、解像度の高い静止画を撮影できるようにする。【解決手段】被写体像を撮像する撮像素子と、撮像素子により動画を撮影する場合に、撮像素子の蓄積時間により、１フレームの垂直解像度が低下しない第１の駆動モードで撮像素子を駆動するか、１フィールドの垂直解像度が低下する第２の駆動モードで撮像素子を駆動するかを切り替える切替部と、動画撮影中の１フィールドもしくは１フレームの画像信号から静止画を生成する生成部と、動画撮影中の１フィールドもしくは１フレームの画像信号から静止画を生成することを指示する指示部と、第２の駆動モードで動画を撮影している途中で指示部から静止画の生成指示を受けた場合に、その指示を受けたときの撮像素子の蓄積時間が第１の駆動モードへ切り替わる値に近い場合は、撮像素子の駆動モードを第１の駆動モードへ切替えて静止画を生成するように制御する制御部とを備える。【選択図】  図４
2013251877.tif 000002
【特許請求の範囲】
【請求項１】
被写体像を撮像する撮像素子と、
前記撮像素子により動画を撮影する場合に、前記撮像素子の蓄積時間により、１フレームの垂直解像度が低下しない第１の駆動モードで前記撮像素子を駆動するか、１フィールドの垂直解像度が低下する第２の駆動モードで前記撮像素子を駆動するかを切り替える切替手段と、
動画撮影中の１フィールドもしくは１フレームの画像信号から静止画を生成する生成手段と、
動画撮影中の１フィールドもしくは１フレームの画像信号から静止画を生成することを指示する指示手段と、
前記第２の駆動モードで動画を撮影している途中で前記指示手段から静止画の生成指示を受けた場合に、該指示を受けたときの前記撮像素子の蓄積時間が前記第１の駆動モードへ切り替わる値に近い場合は、前記撮像素子の駆動モードを前記第１の駆動モードへ切替えて静止画を生成するように制御する制御手段と、
を備えることを特徴とする撮像装置。
【請求項２】
前記制御手段は、前記撮像素子の駆動モードを前記第１の駆動モードへ切替えて静止画を生成する場合に、露光量の不足分を画像処理によって補うように制御することを特徴とする請求項１に記載の撮像装置。
【請求項３】
被写体像を撮像する撮像素子と、
前記撮像素子により動画を撮影する場合に、前記撮像素子の蓄積時間により、１フレームの垂直解像度が低下しない第１の駆動モードで前記撮像素子を駆動するか、１フィールドの垂直解像度が低下する第２の駆動モードで前記撮像素子を駆動するかを切り替える切替手段と、
動画撮影中の１フィールドもしくは１フレームの画像信号から静止画を生成する生成手段と、
動画撮影中の１フィールドもしくは１フレームの画像信号から静止画を生成することを指示する指示手段と、
前記第２の駆動モードで動画を撮影している途中で前記指示手段からの静止画の生成指示を受けた場合に、前記第２の駆動モードで第１の静止画を生成し、該第１の静止画を取得してから所定のフレーム期間内に前記撮像素子の駆動モードが第１の駆動モードに切り替わった場合に、第２の静止画を生成するように制御する制御手段と、
を備えることを特徴とする撮像装置。
【請求項４】
前記制御手段は、前記第１の静止画と前記第２の静止画の少なくとも一方を記録するように制御することを特徴とする請求項３に記載の撮像装置。
【請求項５】
前記第１の静止画と前記第２の静止画をともに保持しておき、前記動画の撮影の終了後に、前記第１の静止画と前記第２の静止画のいずれを前記記録手段に記録するかを選択する選択手段をさらに備えることを特徴とする請求項４に記載の撮像装置。
【発明の詳細な説明】
【技術分野】
【０００１】
本発明は、動画の撮影中に静止画を撮影可能な撮像装置に関する。
【背景技術】
【０００２】
近年、撮像装置として提案されているものの多くは、ＣＣＤ（Ｃｈａｒｇｅ Ｃｏｕｐｌｅｄ Ｄｅｖｉｃｅ）イメージセンサーや、ＣＭＯＳイメージセンサーが撮像素子として用いられている。これらには、１フィールドごとに撮像素子からの読み出しを偶数行と奇数行で交互に行ってテレビモニターに映し出すインターレース方式に対応した駆動や、１フレームで全画素を読み出しテレビモニターに映し出すプログレッシブ方式に対応した駆動が存在する。
【０００３】
インターレース方式では、例えば水平１９２０画素×垂直１０８０画素のフルハイビジョン規格の場合、１フィールド期間に水平１９２０画素×垂直５４０画素の信号を読み出すことになる。そのため、フレームレートの高速化が可能である反面、１フィールドのみの画像を抜き出すと垂直解像度が半分になってしまう。
【０００４】
プログレッシブ方式では、同様にフルハイビジョン規格を例にとると、１フレーム期間に全画素である水平１９２０画素×垂直１０８０画素の信号を読み出さなくてはならない。そのため、インターレース方式と同等のフレームレートを維持するためには、２倍の速度で撮像素子を駆動する必要が出てくるが、１フレームのみの画像を抜き出しても垂直解像度は劣化しないメリットがある。
【０００５】
また、通常はプログレッシブ方式の駆動で読み出しを行うが、照度の低い被写体を撮影するときをはじめとした高感度が必要な場合にインターレース方式の読み出しに切り替えるようなシームレスな方式も提案されている。特許文献１では、複数フィールド期間、電荷を蓄積させる高感度撮影を行う場合は、奇数ラインフィールド及び偶数ラインフィールドをそれぞれ独立にフレーム蓄積させる。そして、奇数ラインフィールド及び偶数ラインフィールドの画像信号を交互に読み出すことで、フレーム蓄積時間の半分の周期で画像信号を出力することが可能な技術が提案されている。つまり、高感度撮影時に奇数ラインフィールドと偶数ラインフィールドの読み出しを交互に行うことで、撮影画像が蓄積時間の２倍の速さで更新されるため、映像信号を滑らかにすることが可能となる。
【０００６】
この方式の特徴は、プログレッシブ方式とインターレース方式を、被写体の明るさに応じて、高感度が必要な場面で切り替えることにある。すなわち、撮像装置の多くは高感度を得るためにデジタルゲインを上げて対応し、あるところでシャッタースピードを遅くする（すなわち、蓄積時間を長くする）スローシャッターモードに移行する。これに対し、上記の方式はデジタルゲインが上がったあとのシャッタースピードによって、プログレッシブ方式とインターレース方式を変化させる。
【０００７】
一方、近年の撮像装置には、動画の撮影中に静止画を撮影して取得することができる機種が存在する。これらのうちの多くは、静止画画像を取得する場合には、インターレース方式の場合はある１フィールド、プログレッシブ方式の場合はある１フレームを取得する。しかし、インターレース方式で１フィールドを取得すると、先に述べたように垂直解像度が劣化することになる。
【先行技術文献】
【特許文献】
【０００８】
【特許文献１】特開２００５−２６０４１１号公報
【特許文献２】特開平１１−２９８７８３号公報
【特許文献３】特開２０１０−１１１２４号公報
【発明の概要】
【発明が解決しようとする課題】
【０００９】
特許文献１の駆動方法では、主に高感度時にフレームレートを落とすようなスローシャッターを用いず、インターレース方式の駆動に切り替え、奇数行と偶数行の露光をオーバーラップさせることで感度を高めている。しかし、この手法によると、先に述べたように、１フィールドの画像の垂直解像度が劣化してしまうために、動画撮影中に静止画取得を行うと著しく画質が悪化してしまう。
【００１０】
この問題に対して、特許文献２では、インターレース方式で撮像素子を駆動中に静止画取得命令が行われた場合は、静止画を取得する１フレームだけプログレッシブ方式の駆動に切り替える。そして、露光時間を長くすることで垂直解像度を劣化させず、さらに適正な露光量の静止画を取得できるとしている。
【００１１】
しかしながら特許文献２の手法では、一時的にインターレース方式からプログレッシブ方式の駆動に切り替えることで、動画の連続性が損なわれてしまい、本来の主目的である動画の撮影に影響が出てしまう。
【００１２】
また、特許文献３では、特許文献２の手法で発生する動画の連続性が損なわれる問題に対して、静止画像を取得する前の動画像を評価し、連続した動画として違和感が発生しないかどうかを判定する。そして、静止画をインターレース駆動で取得するかプログレッシブ駆動で取得するかを選択する方法が提案されている。しかしながら、被写体に動体が含まれる場合は、プログレッシブ駆動で静止画を取得することができない。
【００１３】
本発明は、上述した課題に鑑みてなされたものであり、その目的は、動画撮影中に静止画を撮影する場合に、動画撮影に影響を及ぼすことなく、解像度の高い静止画を撮影できるようにすることである。
【課題を解決するための手段】
【００１４】
本発明に係わる撮像装置は、被写体像を撮像する撮像素子と、前記撮像素子により動画を撮影する場合に、前記撮像素子の蓄積時間により、１フレームの垂直解像度が低下しない第１の駆動モードで前記撮像素子を駆動するか、１フィールドの垂直解像度が低下する第２の駆動モードで前記撮像素子を駆動するかを切り替える切替手段と、動画撮影中の１フィールドもしくは１フレームの画像信号から静止画を生成する生成手段と、動画撮影中の１フィールドもしくは１フレームの画像信号から静止画を生成することを指示する指示手段と、前記第２の駆動モードで動画を撮影している途中で前記指示手段から静止画の生成指示を受けた場合に、該指示を受けたときの前記撮像素子の蓄積時間が前記第１の駆動モードへ切り替わる値に近い場合は、前記撮像素子の駆動モードを前記第１の駆動モードへ切替えて静止画を生成ように制御する制御手段と、を備えることを特徴とする。
【００１５】
また、本発明に係わる撮像装置は、被写体像を撮像する撮像素子と、前記撮像素子により動画を撮影する場合に、前記撮像素子の蓄積時間により、１フレームの垂直解像度が低下しない第１の駆動モードで前記撮像素子を駆動するか、１フィールドの垂直解像度が低下する第２の駆動モードで前記撮像素子を駆動するかを切り替える切替手段と、動画撮影中の１フィールドもしくは１フレームの画像信号から静止画を生成する生成手段と、動画撮影中の１フィールドもしくは１フレームの画像信号から静止画を生成することを指示する指示手段と、前記第２の駆動モードで動画を撮影している途中で前記指示手段からの静止画の生成指示を受けた場合に、前記第２の駆動モードで第１の静止画を生成し、該第１の静止画を取得してから所定のフレーム期間内に前記撮像素子の駆動モードが第１の駆動モードに切り替わった場合に、第２の静止画を生成するように制御する制御手段と、を備えることを特徴とする。
【発明の効果】
【００１６】
本発明によれば、動画撮影中に静止画を撮影する場合に、動画撮影に影響を及ぼすことなく、解像度の高い静止画を撮影することが可能となる。
【図面の簡単な説明】
【００１７】
【図１】本発明の第１の実施形態に係る撮像装置の構成を示すブロック図。
【図２】第１の実施形態の撮像装置における被写体の明るさに応じた動作を説明する図。
【図３】第１の実施形態の撮像装置における撮像素子の駆動を説明する図。
【図４】第１の実施形態の撮像装置の動作を示すフローチャート。
【図５】第２の実施形態の撮像装置の動作を示すフローチャート。
【図６】第２の実施形態の撮像装置の変形例の動作を示すフローチャート。
【図７】第２の実施形態の撮像装置の変形例の動作を示すフローチャート。
【発明を実施するための形態】
【００１８】
以下、本発明の実施形態について、図面を参照して詳細に説明する。
【００１９】
（第１の実施形態）
図１は、本発明の第１の実施形態に係る撮像装置１００の構成を示すブロック図である。
【００２０】
図１において、撮像装置１００は、被写体像を結像させる光学レンズと、光学ＬＰＦ（ローパスフィルター）と、プリズムユニットなどを含んだ光学ブロック１０１を備える。また、取り込んだ光を電気信号に変換する撮像素子１０２と、撮像素子１０２から出力されたアナログ映像信号をデジタル信号へ変換し、デジタル化した映像信号にデジタルゲイン、ガンマ、ニーなどの各画像処理を行なう画像処理部１０３とを備える。また、画像処理部１０３によってデジタル処理された動画の映像信号を記録するための信号記録部１０４と、撮影映像を表示する表示部１０５とを備える。
【００２１】
また、光学ブロック１０１の特に光学レンズのフォーカス機構やズーム機構、アイリス機構などの制御を行う光学系制御部１０６と、撮像素子１０２の駆動モードの切替え及び制御を行う駆動モード切替部１０７とを備える。また、光学系制御部１０６及び駆動モード切替部１０７、画像処理部１０３の特にゲイン制御によって露出の制御を行う露出制御部１０８と、画像処理部１０３で得られる映像信号情報をもとに露出制御部１０８へ適正露出情報を渡すシステム制御部１０９とを備える。
【００２２】
さらに、静止画（静止画の画像信号）を取得した場合の画像記録部１１０と、システム制御部１０９へ静止画取得を指示する静止画取得キー１１１とを備える。システム制御部１０９は静止画取得キー１１１によって動画撮影中（動画を撮影している途中）の静止画取得の指示（生成指示）を受け、静止画を取得するための各ブロックの制御も行う。
【００２３】
以下に、各ブロックについて詳細に説明する。光学ブロック１０１は、フォーカス機構やズーム機構、アイリス機構などを持つ光学レンズ、光学的にフィルターを構成する光学ローパスフィルター（光学ＬＰＦ）、光学的に色分解を行うプリズムユニットなどから構成される。
【００２４】
撮像素子１０２は、光学ブロックから入射光を受け、それを電気信号へ変換し、出力する。代表的なものとして、ＣＣＤ（Ｃｈａｒｇｅ Ｃｏｕｐｌｅｄ Ｄｅｖｉｃｅ）イメージセンサーや、ＣＭＯＳイメージセンサーなどが挙げられる。
【００２５】
これら撮像素子１０２には、アナログ信号を出力するものと、撮像素子１０２の内部でＡＤ（アナログデジタル）変換処理を行い、ＬＶＤＳ（Ｌｏｗ ｖｏｌｔａｇｅ ｄｉｆｆｅｒｅｎｔｉａｌ ｓｉｇｎａｌｉｎｇ）をはじめとするデジタルデータを出力するものがある。
【００２６】
画像処理部１０３は、撮像素子１０２から出力されたアナログ信号をデジタル信号へ変換するアナログフロントエンド部と、デジタル化した画像信号に各処理を行うブロックから構成される。撮像素子１０２の内部でＡＤ変換処理を行なう場合は、アナログフロントエンド部は省略される。画像処理部１０３では、たとえば撮像素子１０２がＣＭＯＳイメージセンサーの場合は、ＣＭＯＳイメージセンサー特有の固定パターンノイズの除去や、黒レベルクランプ処理などを行なう。また、撮像装置の代表的な画像処理機能となるノイズリダクションやガンマ補正、ニー、デジタルゲインなどをはじめとした各種画像処理を行なう。画像処理部１０３には、それぞれの補正や画像処理に必要となる設定値を記憶しておく記憶回路も含まれる。
【００２７】
また、入力された画像信号情報を確認し、現在の露出を露出適正値と比較して、どの程度変更すれば適正露出となるかの露出制御情報を露出制御部１０８へ伝達する。信号記録部１０４は、画像処理部１０３から受けた各画像処理が反映された画像信号を、所定の表示部１０５へ出力する。表示部１０５の代表的なものとしては、外部のモニターや、撮像装置に付属する液晶モニターやビューファインダーが挙げられる。
【００２８】
システム制御部１０９は、撮像装置１００のシステム全般を司る。そして、特にユーザーから静止画取得キー１１１をトリガとして静止画取得命令を受けた場合に、露出制御部１０８へ駆動モードの変更を指示したり、画像処理部１０３へ静止画画像を記録することを伝達する役割を担う。
【００２９】
露出制御部１０８は、画像処理部１０３から受けた露出制御情報をもとに最適な露出にするためにどのように制御を変更すればよいかを計算し、光学系制御部１０６、撮像素子の駆動モード切替部１０７、画像処理部１０３へ露出に関するパラメーターを伝達する。
【００３０】
次に、本実施形態の撮像装置における露出制御方法及び撮像素子の駆動方法に関して図２を用いて説明する。
【００３１】
図２は、被写体の明るさに応じ、撮像装置におけるどの露出制御パラメーターを変更するかを表した図である。横軸は被写体の明るさを表しており、被写体が充分に明るい領域Ａでは、撮像素子の蓄積時間をフレームレートよりも短くする高速シャッターによって露出制御を行う。例えば、フレームレートが６０ｆｐｓである場合には、シャッタースピード（蓄積時間）を１／６０秒よりも速くする。シャッタースピードが標準の１／６０秒になってからの領域Ｂでは、光学レンズの絞りを制御して露出制御を行う。さらに、絞りが開放状態になってからの領域Ｃでは、デジタルゲインを上げていく。デジタルゲインを上げていくと、画像にノイズが発生するため、デジタルゲインの最大値は撮像装置として許容できる範囲内もしくは画像処理部で可能な最大値に設定することになる。以上の領域Ａから領域Ｃまでの範囲は、プログレッシブ方式で駆動を行う。
【００３２】
デジタルゲインを最大値まで上げてからの領域Ｄでは、撮像素子のシャッタースピードを１／６０秒よりも遅くするスローシャッター撮影モードに移行する。スローシャッター撮影モードではシャッタースピードが１／６０秒よりも遅くなる。そのため、通常撮影モードでは画像が１／６０秒ごとに更新されるのに対し、スローシャッター撮影モードでは１／６０秒ごとに画像を更新できない。シャッタースピードが１／３０秒になる場合には、１／３０秒ごとに画像が更新されることになるため、カクカクした映像になる。本実施形態では例として、領域Ｄをインターレース方式で駆動することで、シャッタースピードが１／６０秒より遅くなった場合でも、１／６０秒ごとに画像を更新できるような駆動を用いる。この駆動方法について図３を用いて説明する。
【００３３】
図３（ａ）及び図３（ｂ）は、プログレッシブ方式のように１フレーム内で垂直解像度の劣化のない第１の駆動モードを示している。図３（ａ）は、第１の駆動モードで撮像素子を駆動して通常照度の被写体を撮影する通常撮影モードを示す。ここでは、通常撮影モードのシャッタースピードが１／６０秒であるものとする。図３（ｂ）は、第１の駆動モードで撮像素子を駆動して低照度の被写体を撮影するスローシャッター撮影モードを示す。スローシャッター撮影モードでも、１フレームごとにすべての行の画素から信号を読み出すため垂直解像度の劣化はない。ただし、シャッタースピードを１／６０秒より長くするために、図３（ｂ）のようにフレームレートを落とす必要がある。
【００３４】
図３（ｃ）及び図３（ｄ）は、インターレース方式のように１フレームの読み出しを奇数ラインフィールドと偶数ラインフィールドに分ける第２の駆動モードを示している。第２の駆動モードでは、奇数ラインフィールド又は偶数ラインフィールドの各フィールドで読み出す画素数は少なくなるため、各フィールドの垂直解像度が低下する。図３（ｃ）は、第２の駆動モードで撮像素子を駆動して通常照度の被写体を撮影する通常撮影モードを示す。図３（ｄ）は、第２の駆動モードで撮像素子を駆動して低照度の被写体を撮影するスローシャッター撮影モードを示す。第２の駆動モードでシャッタースピードを１／６０秒より長くする場合、図３（ｄ）のように、奇数行と偶数行でオーバーラップして露光を行う。この方法によれば、シャッタースピードを１／６０秒よりも長くしつつ、１／６０秒ごとに画像の更新を行なうことができるという利点がある。
【００３５】
本実施形態における撮像装置では、図２の領域Ａから領域Ｃまでは図３（ａ）に示した第１の駆動モード、領域Ｄにおいては図３（ｄ）に示した第２の駆動モードで動作させるように制御する。このような撮像装置において、第２の駆動モードの１フィールドから静止画を取得すると、垂直解像度の劣化した画像になるという課題が生じる。
【００３６】
上記の課題を解決するための撮像装置の動作について図４のフローチャートを用いて説明する。
【００３７】
ステップＳ１において、ユーザーによる静止画取得キー１１１の操作をトリガにした静止画取得命令を受け、システム制御部１０９は、現在の露出制御状態を確認する。次にステップＳ２において、現在の撮像素子の駆動モードを判定し、第１の駆動モードであった場合は、ステップＳ６においてそのまま１フレームの静止画を生成して記録する。
【００３８】
ステップＳ２において、現在の撮像素子の駆動モードが第２の駆動モードであった場合は、低照度の被写体を撮影していることになり、シャッタースピードが１／６０秒よりも長くなっていることになる。その場合には、ステップＳ３に進み、現在のシャッタースピードを確認する。シャッタースピードを１／ｎ秒（ｎは６０よりも小さい値）と比較し、シャッタースピードが１／ｎ秒以上である場合には、第２の駆動モードのままステップＳ６に進み、１フレームの静止画を生成する。一方、シャッタースピードが１／ｎ秒よりも短い場合は、ステップＳ４において、撮像素子の駆動モードを第１の駆動モードへ強制的に変更し、ステップＳ５において１フレームの静止画を生成して記録する。
【００３９】
この手法によると、第２の駆動モードで駆動している場合でも、シャッタースピードが１／ｎ秒よりも短い場合に第１の駆動モードに変更することにより、垂直解像度の劣化のない静止画を取得することが可能となる。
【００４０】
次に、図４のフローチャートのステップＳ３におけるｎの値の決め方について説明する。ステップＳ４において、撮像素子の駆動モードを第１の駆動モードへ強制的に変更したとき、シャッタースピードが１／６０秒になるため、露光量が不足して画像が暗くなってしまう。画像が暗くなってしまった分（露光量の不足分）は、デジタルゲインなど感度アップ手段によって補う必要がある。しかし、前述したようにデジタルゲインを上げると画像にノイズがのってしまう。
【００４１】
これらに鑑みて、ｎの値は、ゲインアップによるノイズ発生を許容できる、もしくは他のノイズを抑制することのできる画像処理回路（たとえばノイズリダクション回路）で補うことで動画の映像に違和感の残らない範囲にしなければならない。
【００４２】
すなわち、ｎの値は、撮像装置の画像処理回路の種類や実力などによって決まるため、一元的に数値を決めることはできない。参考として、ゲインアップとしてｍｄＢ（デシベル）分を補うときのｎの算出方法は、以下のようになる。ここで、ａは通常のシャッタースピードの逆数である（１／６０秒であれば６０）。
【００４３】
ｎ＝ａ／（１０m/20）
なお、本実施形態で説明した第１の駆動モード及び第２の駆動モードは、プログレッシブとインターレース駆動に限ったものではなく、垂直解像度劣化の有無によって分類される。また、便宜上、標準のシャッタースピードを１／６０秒としたが、この値に限ったものではなく、撮像装置個々によるものになる。
【００４４】
（第２の実施形態）
第２の実施形態の撮像装置の構成は、図１に示した第１の実施形態の撮像装置の構成と同様であるので、説明を省略する。また、図２及び図３を用いて説明した第１の駆動モード及び第２の駆動モードについても第１の実施形態と同様であるので説明を省略する。ここでは、第２の実施形態の撮像装置の第１の実施形態とは異なる動作について説明する。
【００４５】
図５は、本実施形態の動作を示すフローチャートである。
【００４６】
ステップＳ１において、ユーザーによる静止画取得キー１１１の操作をトリガにした静止画取得命令を受け、システム制御部１０９は、現在の露出制御状態を確認する。次にステップＳ２において、現在の撮像素子の駆動モードを判定し、第１の駆動モードであった場合は、ステップＳ３においてそのまま１フレームの静止画を生成して記録する。
【００４７】
ステップＳ２において、現在の撮像素子の駆動モードが第２の駆動モードであった場合は、低照度の被写体を撮影していることになり、シャッタースピードが１／６０秒よりも長くなっていることになる。その場合には、ステップＳ４に進み、第２の駆動モードで垂直解像度の劣化した静止画を生成して記録し、ステップＳ５に進む。ステップＳ４で記録した静止画を第１の静止画とする。
【００４８】
ステップＳ５では、次のＶＤ（垂直同期信号）に進み、ステップＳ６において、次のＶＤにおける撮像素子の駆動モードを判定する。ステップＳ６において、次のＶＤにおける駆動モードが第２の駆動モードのままである場合には、ステップＳ７に進む。ステップＳ７では、ユーザーが静止画取得キー１１１を操作したステップＳ１から経過したＶＤの数をカウントする。ステップＳ７において、ステップＳ１から経過したＶＤの数が所定のＶＤ数であるＮを超えたか否かを判定し、Ｎを超えていないと判定された場合には、ステップＳ５に戻り、Ｎを超えるまでループを繰り返す。そして、ステップＳ６における駆動モードの判定により、カウント数がＮに達する前に（所定のフレーム期間内に）駆動モードが第１の駆動モードに切り替わった場合には、ステップＳ８において、垂直解像度の劣化のない第２の静止画を生成して記録し、第１の静止画を削除する。
【００４９】
この手法によると、垂直解像度の劣化する第２の駆動モードで動作している場合における静止画取得命令に対し、所定のＶＤ数内に第１の駆動モードへ切り替わった場合には、第１の駆動モードで垂直解像度の劣化のない静止画を生成し、記録することができる。
【００５０】
ここで、ステップＳ７における所定のＶＤ数であるＮは、撮像装置の使用者（ユーザー）が静止画取得キーを押下してからのＶＤのカウント数となるが、このＮはユーザーが静止画取得するタイミングとして違和感のない範囲に設定すればよい。
【００５１】
なお、本実施形態で説明した第１の駆動モード及び第２の駆動モードは、プログレッシブとインターレース駆動に限ったものではなく、垂直解像度劣化の有無によって分類される。また、便宜上、標準のシャッタースピードを１／６０秒としたが、この値に限ったものではなく、撮像装置個々によるものになる。
【００５２】
（第３の実施形態）
第３の実施形態の撮像装置の構成は、図１に示した第１の実施形態の撮像装置の構成と同様であるので、説明を省略する。また、図２及び図３を用いて説明した第１の駆動モード及び第２の駆動モードについても第１の実施形態と同様であるので説明を省略する。ここでは、第１、第２の実施形態とは異なる動作について説明する。
【００５３】
第２の実施形態で説明した図５の制御を実現するために、消費電力やデジタル回路部の遅延などの問題が発生する場合は、上記の制御を実施する前に種々の条件をつけても良い。図６は、本実施形態の動作を示すフローチャートである。図６では、ステップＳ５〜Ｓ７のループを実施する前に、被写体の明るさの評価値が上昇中であるかどうかの確認を行い、上昇している場合は、第１の駆動モードに移行する確率が高いため、Ｓ５に進むという条件である。
【００５４】
ステップＳ１において、ユーザーによる静止画取得キー１１１の操作をトリガにした静止画取得命令を受け、システム制御部１０９は、現在の露出制御状態を確認する。次にステップＳ２において、現在の撮像素子の駆動モードを判定し、第１の駆動モードであった場合は、ステップＳ３においてそのまま１フレームの静止画を生成して記録する。
【００５５】
ステップＳ２において、現在の撮像素子の駆動モードが第２の駆動モードであった場合は、低照度の被写体を撮影していることになり、シャッタースピードが１／６０秒よりも長くなっていることになる。その場合には、ステップＳ４に進み、第２の駆動モードで垂直解像度の劣化した静止画を生成して記録し、ステップＳ９に進む。ステップＳ４で記録した静止画を第１の静止画とする。
【００５６】
ステップＳ９では、被写体の明るさを評価した評価値が上昇中であるかどうかの確認を行い、上昇している場合は、第１の駆動モードに移行する確率が高いため、Ｓ５に進む。
【００５７】
ステップＳ５では、次のＶＤ（垂直同期信号）に進み、ステップＳ６において、次のＶＤにおける撮像素子の駆動モードを判定する。ステップＳ６において、次のＶＤにおける駆動モードが第２の駆動モードのままである場合には、ステップＳ７に進む。ステップＳ７では、ユーザーが静止画取得キー１１１を操作したステップＳ１から経過したＶＤの数をカウントする。ステップＳ７において、ステップＳ１から経過したＶＤの数が所定のＶＤ数であるＮを超えたか否かを判定し、Ｎを超えていないと判定された場合には、ステップＳ５に戻り、Ｎを超えるまでループを繰り返す。そして、ステップＳ６における駆動モードの判定により、カウント数がＮに達する前に（所定のフレーム期間内に）駆動モードが第１の駆動モードに切り替わった場合には、ステップＳ８において、垂直解像度の劣化のない第２の静止画を生成して記録し、第１の静止画を削除する。
【００５８】
（第４の実施形態）
第４の実施形態の撮像装置の構成は、図１に示した第１の実施形態の撮像装置の構成と同様であるので、説明を省略する。また、図２及び図３を用いて説明した第１の駆動モード及び第２の駆動モードについても第１の実施形態と同様であるので説明を省略する。ここでは、第１、第２の実施形態とは異なる動作について説明する。
【００５９】
図７は、本実施形態の動作を示すフローチャートである。本実施形態では、第１の静止画と第２の静止画をともに保存（保持）しておき、動画像の撮影終了後に、使用者にどちらの静止画を記録するかを選択する機能を備えたものである。
【００６０】
ステップＳ１において、ユーザーによる静止画取得キー１１１の操作をトリガにした静止画取得命令を受け、システム制御部１０９は、現在の露出制御状態を確認する。次にステップＳ２において、現在の撮像素子の駆動モードを判定し、第１の駆動モードであった場合は、ステップＳ３においてそのまま１フレームの静止画を生成して記録する。
【００６１】
ステップＳ２において、現在の撮像素子の駆動モードが第２の駆動モードであった場合は、低照度の被写体を撮影していることになり、シャッタースピードが１／６０秒よりも長くなっていることになる。その場合には、ステップＳ４に進み、第２の駆動モードで垂直解像度の劣化した静止画を生成して記録し、ステップＳ５に進む。ステップＳ４で記録した静止画を第１の静止画とする。
【００６２】
ステップＳ５では、次のＶＤ（垂直同期信号）に進み、ステップＳ６において、次のＶＤにおける撮像素子の駆動モードを判定する。ステップＳ６において、次のＶＤにおける駆動モードが第２の駆動モードのままである場合には、ステップＳ７に進む。ステップＳ７では、ユーザーが静止画取得キー１１１を操作したステップＳ１から経過したＶＤの数をカウントする。ステップＳ７において、ステップＳ１から経過したＶＤの数が所定のＶＤ数であるＮを超えたか否かを判定し、Ｎを超えていないと判定された場合には、ステップＳ５に戻り、Ｎを超えるまでループを繰り返す。そして、ステップＳ６における駆動モードの判定により、カウント数がＮに達する前に（所定のフレーム期間内に）駆動モードが第１の駆動モードに切り替わった場合には、ステップＳ８において、第１の駆動モードに切り替わった直後に垂直解像度の劣化のない第２の静止画を生成して記録する。図５では、第２の静止画を取得した際に第１の静止画を削除したが、本実施形態のステップＳ８では削除せずに、第２の静止画とともに第１の静止画も画像記録部１１０に記憶しておく。ステップＳ９で動画記録を完了した後、ステップＳ１０において、垂直解像度の劣化した第１の静止画と垂直解像度の劣化のない第２の静止画のどちらを記録するかを使用者に選択させる。
【００６３】
使用者が第１の静止画を記録することを選択した場合には、ステップＳ１１に進んで第１の静止画を記録し、使用者が第２の静止画を記録することを選択した場合には、ステップＳ１２に進んで第２の静止画を記録する。なお、どちらも削除せずに記録するという選択をしても良い。
【００６４】
この方法であれば、使用者は静止画取得のタイミングを重視した静止画を残すか、解像度劣化のない画質のよい静止画を残すかを選択することができる。
【図１】
2013251877.tif 000003
【図２】
2013251877.tif 000004
【図３】
2013251877.tif 000005
【図４】
2013251877.tif 000006
【図５】
2013251877.tif 000007
【図６】
2013251877.tif 000008
【図７】
2013251877.tif 000009